(57)【要約】【課題】人体および照度をそれぞれ精度よく検知できる配線器具を提供する。【解決手段】配線器具本体11の外側に露出してレンズ39を配設し、レンズ39からの光の入射経路に人感センサ40を配設する。レンズ39からの光の入射経路とは異なる位置で配線器具本体11の外側に臨んで照度センサ42を配設する。【選択図】図１
2014181947.tif 000002
【特許請求の範囲】
【請求項１】
配線器具本体と；
配線器具本体の外側に露出して配設されたレンズと；
レンズからの光の入射経路に配設された人感センサと；
レンズからの光の入射経路とは異なる位置で配線器具本体の外側に臨んで配設された照度センサと；
を具備していることを特徴とする配線器具。
【請求項２】
レンズおよび照度センサは配線器具本体の下面側に臨んで配設されており、
下面側にレンズおよび照度センサが対向する開口部が形成され、配線器具本体を覆うカバーを具備している
ことを特徴とする請求項１記載の配線器具。
【発明の詳細な説明】
【技術分野】
【０００１】
本発明の実施形態は、人感センサおよび照度センサを有する配線器具に関する。
【背景技術】
【０００２】
従来、人感センサおよび照度センサを有する配線器具は、例えば住宅の外玄関などに設置され、外玄関を出入りしようとする人を人感センサで検知して玄関灯を自動点灯させたり、周囲が暗くなってきたことを照度センサで検知して玄関灯を自動点灯させるのに用いられている。
【０００３】
人感センサは、検知エリアを定めるレンズの内側に対向して配設されており、レンズを通じて検知エリアに侵入する人を検知している。また、照度センサは、例えば人感センサが実装される回路基板に一緒に実装されていて、人感センサとともにレンズの内側に配設されており、レンズを通じて周囲の明るさを検知している。
【先行技術文献】
【特許文献】
【０００４】
【特許文献１】特開平１１−４５６０９号公報
【発明の概要】
【発明が解決しようとする課題】
【０００５】
しかしながら、照度センサが人感センサのレンズを通じて検知することになるため、配線器具の設置状況によっては、レンズによって集光される検知エリアからの反射光が照度センサに影響を与え、周囲の明るさを精度よく検知できないことがある。
【０００６】
本発明が解決しようとする課題は、人体および照度をそれぞれ精度よく検知できる配線器具を提供することである。
【課題を解決するための手段】
【０００７】
実施形態の配線器具は、配線器具本体の外側に露出してレンズを配設し、レンズからの光の入射経路に人感センサを配設する。レンズからの光の入射経路とは異なる位置で配線器具本体の外側に臨んで照度センサを配設する。
【発明の効果】
【０００８】
本発明によれば、人感センサをレンズからの光の入射経路に配設し、照度センサをレンズからの光の入射経路とは異なる位置で配線器具本体の外側に臨ませて配設することにより、人体および照度をそれぞれ精度よく検知することが期待できる。
【図面の簡単な説明】
【０００９】
【図１】一実施形態を示す配線器具の断面図である。
【図２】同上配線器具の正面図である。
【図３】同上配線器具の底面図である。
【図４】同上配線器具の背面図である。
【図５】同上配線器具のカバーを外した状態の正面図である。
【図６】同上配線器具の電源基板の正面図である。
【図７】同上配線器具の背面部材の背面図である。
【図８】同上配線器具の端子ブロックのホルダの背面図である。
【図９】同上ホルダの断面図である。
【発明を実施するための形態】
【００１０】
以下、一実施形態を、図１ないし図９を参照して説明する。
【００１１】
配線器具10は、例えば住宅の外玄関の外壁面で比較的高い位置に設置され、人体の検知および照度の検知に基づいて玄関灯などの照明器具を制御するものである。
【００１２】
配線器具10は、図１ないし図５に示すように、配線器具本体11、配線器具本体11の背面に取り付けられたパッキング12、および配線器具本体11を覆うカバー13などを備えた防水型配線器具である。そして、配線器具10は、外壁面の例えば配線ボックスなどに設置されたサポート15に対して上下一対のねじ16で取り付けられる。
【００１３】
そして、配線器具本体11は、背面が開口されたケース20、このケース20の背面に取り付けられた裏蓋21を備えている。これらケース20および裏蓋21は、絶縁材料である例えば熱可塑性樹脂材料によって形成されている。
【００１４】
ケース20の上下には、ねじ16が挿通される取付部23が突設されている。ケース20の下面には、中央にセンサ配設開口24が形成され、このセンサ配設開口24の両側に透明板などで閉塞された一対の窓部25が形成されている。ケース20の前面には、複数であって３つの孔部26が形成され、これら孔部26の上方に突出部27が突設されている。突出部27は中央部が最も高く両端側が低くなるように傾斜された屋根状に形成されている。
【００１５】
図１および図７に示すように、裏蓋21には、端子ブロック取付部29が形成されている。この端子ブロック取付部29は、背面側に開口された水平方向に横長の凹部30を有しており、背面側へ向けて所定の角度で下降傾斜されている。凹部30内の上下左右の面を構成する上下左右の壁部の前端には係止溝31がそれぞれ形成され、凹部30内の奥面を構成する前側の壁部には複数の端子挿通孔32が形成されている。
【００１６】
また、配線器具本体11のセンサ配設開口24には、人感センサユニット35が配設されている。人感センサユニット35は、配線器具本体11内に取り付けられるベース36、およびベース36に傾動可能に保持されたセンサ部37を有している。センサ部37の下部側は、配線器具本体11の下面から下方に突出されている。センサ部37は、半球状のセンサ筐体38を有し、このセンサ筐体38の下端開口にレンズ39が取り付けられ、センサ部37内でレンズ39の内側に対向する位置であってレンズ39からの光の入射経路に赤外線センサである人感センサ40が配設されている。人感センサ40は、レンズ39によって設定された検知エリア内に人が侵入することにより、レンズ39を通じて人から発生する赤外線を受光し、検知エリア内への人の侵入を検知する。
【００１７】
また、配線器具本体11の一対の窓部25のうちの一方には、周囲の明るさを検知する照度センサ42が配線器具本体11の外側に臨んで配設され、また、他方には、例えば赤色発光する動作確認用のＬＥＤ43（図６参照）が配線器具本体11の外面に臨んで配設されている。図６に示すように、これら照度センサ42およびＬＥＤ43は、配線器具本体11内に配置される電源基板44に実装されている。電源基板44には人感センサ40も電気的に接続されている。
【００１８】
また、図１に示すように、配線器具本体11内の前面側には、制御基板46が取り付けられている。この制御基板46の前面には、３つの設定器47が実装され、これら各設定器47を回動操作するための摘み48が配線器具本体11の各孔部26より前方に突出配置されている。設定器47には、連続点灯と消灯と人を検知しなくなってから点灯している時間とを調整する設定器47、周囲が設定した明るさになったときに連続点灯させる時間を調整する設定器47、および周囲の明るさに応じた人感検知動作の連動を調整する設定器47などが含まれている。
【００１９】
また、図１、図８および図９に示すように、配線器具本体11の端子ブロック取付部29には、端子ブロック50が取り付けられている。端子ブロック50は、ホルダ51、このホルダ51に保持された複数組であって３組の端子52、および複数のリリースボタン53を備えている。３組の端子52には、電源が接続される端子52、負荷である照明器具に接続される端子52、別の場所に設置する配線器具が子器として接続される端子52などが含まれる。
【００２０】
ホルダ51は、絶縁材料である例えば熱硬化性樹脂材料によって横長で凹部30に嵌合可能とする大きさに形成されている。ホルダ51の背面には複数の電線挿入孔54が挿通形成され、前面には端子収納部55が開口形成されている。さらに、リリースボタン収納部56が背面および前面に開口形成されている。ホルダ51の前端の上下左右部には、凹部30の上下左右の係止溝31に係止することによって端子ブロック50を端子ブロック取付部29に係止する係止爪57が設けられている。
【００２１】
端子52は、略コ字形に形成された端子片58、およびこの端子片58と組み合わせされる鎖錠片59を有し、電線挿入孔54に挿入された電線の芯線を端子片58と鎖錠片59との間で挟み込んで電気的に接続するとともに鎖錠片59が芯線に食い付いて抜け止めする。
【００２２】
リリースボタン53は、例えば熱硬化性樹脂材料によって形成されており、一対の鎖錠片59の位置に対応してホルダ51のリリースボタン収納部56に前後方向に移動可能に配置され、背面側から前方へ押動操作することにより、一対の鎖錠片59を芯線から離反するように弾性変形させ、芯線を抜き外すことを可能としている。
【００２３】
そして、端子ブロック取付部29に取り付けた端子ブロック50の各端子52は、例えば配線などによって電源基板44に電気的に接続されている。
【００２４】
また、電源基板44は、照明器具への電源の供給回路を開成、閉成する開閉スイッチなどを備えている。制御基板46は、電源基板44と接続され、人感センサ40および照度センサ42からの検知信号を入力し、各設定器47の設定に基づいて、開閉スイッチを制御する。
【００２５】
また、図１ないし図４に示すように、パッキング12は、環状に形成され、配線器具本体11の背面周囲に嵌め込まれている。
【００２６】
また、カバー13は、例えば樹脂材料によって背面側が開口された形状に形成されており、配線器具本体11の前方から被着されて取り付けられている。カバー13の下面中央には、カバー13の内側に位置する人感センサ40および照度センサ42が対向する開口部61が形成されている。開口部61の前側の縁部には、照度センサ42の高さ位置より低く、人感センサユニット35のレンズ39の高さ位置より高い位置に覆い部62が形成されている。図２に示すように、配線器具10を前面から見た状態では、カバー13の開口部61から人感センサユニット35のレンズ39のみが露出している。
【００２７】
このように構成された配線器具10を設置する場合には、壁面の例えば配線ボックスなどに設置されたサポート15の内側を通した各電線の芯線を対応する各電源挿入孔54に挿入して端子52に接続する。配線器具本体11の背面をパッキング12を介してサポート15に合せ、上下のねじ16で配線器具本体11の上下の取付部23をサポート15に締付固定する。カバー13を配線器具本体11の前方から被着して取り付ける。人感センサユニット35のセンサ部37に傾動可能であり、配線器具本体11に対して前後方向および左右方向に傾動させて検知エリアを任意に調整することができる。
【００２８】
そして、検知エリアへの人の侵入を人感センサ40で検知し、検知エリアに人が侵入したことを検知することにより、電源基板44の開閉スイッチをオンし、照明器具への給電回路を閉成し、照明器具を点灯させる。
【００２９】
また、周囲の明るさを照度センサ42で検知し、設定された明るさより暗くなったことを検知することにより、電源基板44の開閉スイッチをオンし、照明器具への給電回路を閉成し、照明器具を点灯させる。
【００３０】
カバー13を外した配線器具本体11の前面に設けられている各設定器47の摘み48を操作することにより、人感センサ40による制御と照度センサ42による制御との組み合わせを任意に設定できる。
【００３１】
本実施形態の配線器具10は、人感センサ40をレンズ39からの光の入射経路に配設し、照度センサ42をレンズ39からの光の入射経路とは異なる位置で配線器具本体11の外面に臨ませて配設しているため、人感センサ40ではレンズ39を通じて所定の検知エリアに侵入する人を精度よく検知できるとともに、照度センサ42ではレンズ39を通さない光を検知することができて反射光などに影響されずに周囲の明るさを精度よく検知できる。これによって、照明器具の制御を精度よく行うことができる。
【００３２】
さらに、人感センサ40のレンズ39および照度センサ42は配線器具本体11の下面側に臨んで配設されており、下面側にレンズ39および照度センサ42が対向する開口部61が形成されたカバー13で配線器具本体11を覆うため、外光が照度センサ42に直接入ることがなく、照度センサ42の誤検知を防止できる。
【００３３】
さらに、配線器具本体11の前面に配置される摘み48の上方に突出部27を設けているため、仮に、配線器具本体11とカバー13との上部間から雨水などが侵入し、配線器具本体11を上面から前面に伝わったとしても、突出部27で摘み48の部分に雨水などが入り込むのを防止し、これにより、摘み48が配置される配線器具本体11の孔部26から配線器具本体11の内部に雨水などが侵入するのを防止できる。また、カバー13に外力が加わっても、突出部27でカバー13を受け、カバー13が摘み48に接触して摘み48や設定器47および制御基板46を破損するのを防止できる。
【００３４】
また、端子ブロック50を配線器具本体11とは別体とし、端子ブロック50を配線器具本体11の端子ブロック取付部29に取り付けるように構成したため、配線器具本体11は成形精度のよく安価な熱可塑性樹脂材料によって形成したうえで、端子52を含む充電部を保持する端子ブロック50のホルダ51は耐熱性能のよりよい熱硬化性樹脂材料によって形成することができる。そのため、配線器具本体11と端子ブロック50のホルダ51とをそれぞれに適切な材料で形成できて、配線器具本体11の材料選択の自由度を確保できる。
【００３５】
さらに、例えば子器用の端子がある場合とない場合などで端子数が異なる配線器具10の仕様の場合、端子数に合わせた端子ブロック50を用意して配線器具本体11の端子ブロック取付部29に取り付ければよく、配線器具本体11には変更がなく、配線器具本体11を共通化することができる。
【００３６】
さらに、端子ブロック取付部29は配線器具本体11の外側へ向けて下降傾斜され、端子ブロック50を斜めに取り付けることができるため、仮に配線器具本体11とパッキング12との上部間から雨水などが侵入して配線器具本体11の背面側を伝わり落ちたとしても、配線器具本体11の内部に入るのを防止することができる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
10    配線器具
11    配線器具本体
13    カバー
39    レンズ
40    人感センサ
42    照度センサ
61    開口部
【図１】
2014181947.tif 000003
【図２】
2014181947.tif 000004
【図３】
2014181947.tif 000005
【図４】
2014181947.tif 000006
【図５】
2014181947.tif 000007
【図６】
2014181947.tif 000008
【図７】
2014181947.tif 000009
【図８】
2014181947.tif 000010
【図９】
2014181947.tif 000011